(57)【要約】【課題】少ない部品で構成される照光機能付き入力装置を提供することを目的とする。【解決手段】照光機能付き入力装置１０１は、ユーザの操作による入力を検知する検出電極１５及び検出電極１５と電気的に接続された検出電極用配線部１６を有した入力器７と、発光面１３ｒを有した発光素子１３と、発光素子１３の発光面１３ｒからの光を入光する入光部１１ｎを有し、入光した光を前記ユーザ側に出光するシート状のライトガイド１１と、を備え、ライトガイド１１の一方面１１ｂには、発光素子１３が実装されるとともに、発光素子１３と接続される発光素子用配線部１４と、検出電極１５と、検出電極用配線部１６と、が形成され、ライトガイド１１を折り曲げて、発光素子１３の発光面１３ｒが入光部１１ｎに対向するように配設されていることを特徴としている。【選択図】図１
2014107254.tif 000002
【特許請求の範囲】
【請求項１】
ユーザの操作による入力を検知する検出電極及び前記検出電極と電気的に接続された検出電極用配線部を有した入力器と、
発光面を有した発光素子と、
前記発光素子の前記発光面からの光を入光する入光部を有し、入光した光を前記ユーザ側に出光するシート状のライトガイドと、を備えた照光機能付き入力装置であって、
前記ライトガイドの一方面には、前記発光素子が実装されるとともに、前記発光素子と接続される発光素子用配線部と、前記検出電極と、前記検出電極用配線部と、が形成され、
前記ライトガイドを折り曲げて、前記発光素子の前記発光面が前記入光部に対向するように配設されていることを特徴とする照光機能付き入力装置。
【請求項２】
前記ライトガイドには、貫通孔が形成され、
前記ライトガイドにおける、前記貫通孔と前記発光素子が実装された部分との間の領域が、折り曲げてられて、前記発光素子が前記貫通孔内に挿入された際に、
前記貫通孔の内周面を前記入光部としたことを特徴とする請求項１に記載の照光機能付き入力装置。
【請求項３】
前記ライトガイドの他方面側に、ユーザにより操作される操作パネルを備え、
前記ライトガイドが一方面側に折り曲げられていることを特徴とする請求項２に記載の照光機能付き入力装置。
【請求項４】
前記貫通孔の周囲の前記一方面側の貫通孔領域と、前記発光素子の周囲の前記一方面側の発光素子領域と、の間に、所定の厚みを有した接着層を設けたことを特徴とする請求項３に記載の照光機能付き入力装置。
【請求項５】
前記入力器は、前記検出電極からの信号を処理する集積回路を有し、
前記集積回路を前記ライトガイドに搭載したことを特徴とする請求項１ないし請求項４のいずれかに記載の照光機能付き入力装置。
【請求項６】
前記ライトガイドの材質は、ポリエチレンテレフタレートであることを特徴とする請求項１ないし請求項５のいずれかに記載の照光機能付き入力装置。
【発明の詳細な説明】
【技術分野】
【０００１】
本発明は、照光機能を有した入力装置に関する。
【背景技術】
【０００２】
携帯機器の小型化、薄型化に伴って、照光機能を有するライトガイドとセンサや入力装置等の他の機器とを組み合わせ一体化して用いようとする試みがされてきた。
【０００３】
上述のような機器として、特許文献１では、図１２に示すような静電容量センサシート９００が提案されている。図１２は、静電容量センサシート９００を模式的に示す断面説明図である。図１２に示す静電容量センサシート９００は、導電性のセンサ電極層９０１と、このセンサ電極層９０１に上方から対向して光線を導光するライトガイド層９１０と、このライトガイド層９１０に形成されて導光された光線を外部に照射する光拡散パターン９２０とを備えて構成される。そして、センサ電極層９０１の任意の第一のセンサ電極９０２及び第二のセンサ電極９０３に、導体である指が接近した場合、導体と指との間にキャパシタを形成して静電容量の変化を検出するセンサシートとしており、このセンサとライトガイドとを一体化するようにしている。なお、特許文献１では、外部に設けられた光源であるＬＥＤ（Light Emitting Diode）をどのように用いて配置する等の詳細は開示されていない。
【先行技術文献】
【特許文献】
【０００４】
【特許文献１】特開２０１２−３３３４３号公報
【発明の概要】
【発明が解決しようとする課題】
【０００５】
通常、従来例の構成のようなライトガイド（ライトガイド層９１０）にＬＥＤを光源として用いる場合、図１２の破線に示すように、配線パターンが形成された回路基板８０９にＬＥＤ８０５を実装し、ＬＥＤ８０５の発光面がライトガイド層９１０の端面に所望の間隔をおいて対向するように配設している。しかしながら、配線パターンが形成された回路基板８０９を準備しなければいけないことや、ライトガイド層９１０とＬＥＤ８０５との位置決めを更に他の部品を用いて行わなければいけないと言う課題があった。
【０００６】
本発明は、上述した課題を解決するもので、少ない部品で構成される照光機能付き入力装置を提供することを目的とする。
【課題を解決するための手段】
【０００７】
この課題を解決するために、本発明の請求項１による照光機能付き入力装置は、ユーザの操作による入力を検知する検出電極及び前記検出電極と電気的に接続された検出電極用配線部を有した入力器と、発光面を有した発光素子と、前記発光素子の前記発光面からの光を入光する入光部を有し、入光した光を前記ユーザ側に出光するシート状のライトガイドと、を備えた照光機能付き入力装置であって、前記ライトガイドの一方面には、前記発光素子が実装されるとともに、前記発光素子と接続される発光素子用配線部と、前記検出電極と、前記検出電極用配線部と、が形成され、前記ライトガイドを折り曲げて、前記発光素子の前記発光面が前記入光部に対向するように配設されていることを特徴としている。
【０００８】
また、本発明の請求項２による照光機能付き入力装置は、前記ライトガイドには、貫通孔が形成され、前記ライトガイドにおける、前記貫通孔と前記発光素子が実装された部分との間の領域が、折り曲げてられて、前記発光素子が前記貫通孔内に挿入された際に、前記貫通孔の内周面を前記入光部としたことを特徴としている。
【０００９】
また、本発明の請求項３による照光機能付き入力装置は、前記ライトガイドの他方面側に、ユーザにより操作される操作パネルを備え、前記ライトガイドが前記一方面側に折り曲げられていることを特徴としている。
【００１０】
また、本発明の請求項４による照光機能付き入力装置は、前記貫通孔の周囲の前記一方面側の貫通孔領域と、前記発光素子の周囲の前記一方面側の発光素子領域と、の間に、所定の厚みを有した接着層を設けたことを特徴としている。
【００１１】
また、本発明の請求項５による照光機能付き入力装置は、前記入力器は、前記検出電極からの信号を処理する集積回路を有し、前記集積回路を前記ライトガイドに搭載したことを特徴としている。
【００１２】
また、本発明の請求項６による照光機能付き入力装置は、前記ライトガイドの材質が、ポリエチレンテレフタレートであることを特徴としている。
【発明の効果】
【００１３】
請求項１の発明によれば、本発明の照光機能付き入力装置は、発光素子用配線部、入力を検知する検出電極及び検出電極用配線部をライトガイドの一方面に設け、発光素子を実装した後、ライトガイドを折り曲げて、発光素子の発光面が入光部に対向するように配設したので、ユーザの操作による入力を検知する入力器、発光素子及びライトガイドを一体として作製することができる。このことにより、照光機能付き入力装置を構成する部品を少なくすることができる。したがって、少ない部品で構成される照光機能付き入力装置を提供できる。
【００１４】
請求項２の発明によれば、本発明の照光機能付き入力装置は、ライトガイドの貫通孔内に発光素子が挿入されて、貫通孔の内周面の入光部に、ライトガイドを１回折り曲げるだけで、発光素子の発光面を対向するように配設することができる。このことにより、照光機能付き入力装置を作製することが容易にできる。
【００１５】
請求項３の発明によれば、本発明の照光機能付き入力装置は、ライトガイドが他方面側とは反対側の一方面側に折り曲げられているので、ユーザにより操作される操作パネルが備えられた他方面を平坦にできる。このことにより、照光機能付き入力装置を製品に組み込んで使用する際に、ユーザの操作する側に段差部ができず、操作パネルの構成やデザイン等への影響を低減することができる。
【００１６】
請求項４の発明によれば、本発明の照光機能付き入力装置は、貫通孔の周囲の一方面側の貫通孔領域と、発光素子の周囲の一方面側の発光素子領域と、の間に、所定の厚みを有した接着層を設けたので、折り曲げられた部分が容易に接着され、発光素子の位置決めを容易に行えるとともに、接着層の厚みを調整することで、発光素子が貫通孔のユーザ側に突出しないようにできる。
【００１７】
請求項５の発明によれば、本発明の照光機能付き入力装置は、集積回路（ＩＣ）をライトガイドの一方面に搭載したので、集積回路（ＩＣ）用の回路基板を用いることがなく、照光機能付き入力装置を構成する部品をより少なくすることができる。
【００１８】
請求項６の発明によれば、本発明の照光機能付き入力装置は、ライトガイドの材質がポリエチレンテレフタレートであるので、折り曲げに強く、曲げた際の曲率半径を小さくすることができる。このことにより、照光機能付き入力装置の薄型化を図ることができる。
【図面の簡単な説明】
【００１９】
【図１】本発明の第１実施形態の照光機能付き入力装置の側面構成図である。
【図２】本発明の第１実施形態の照光機能付き入力装置の上面構成図である。
【図３】本発明の第１実施形態の照光機能付き入力装置を説明する図であって、ライトガイドを折り曲げる前の展開図を、図１に示すＺ２側から見た構成図である。
【図４】本発明の第２実施形態の照光機能付き入力装置の側面構成図である。
【図５】本発明の第２実施形態の照光機能付き入力装置の上面構成図である。
【図６】本発明の第２実施形態の照光機能付き入力装置を説明する図であって、ライトガイドを折り曲げる前の展開図を、図４に示すＺ２側から見た構成図である。
【図７】本発明の第１実施形態の照光機能付き入力装置の変形例を説明する図であって、変形例１の側面構成図である。
【図８】本発明の第２実施形態の照光機能付き入力装置の変形例を説明する図であって、変形例２の側面構成図である。
【図９】本発明の第２実施形態の照光機能付き入力装置の変形例を説明する図であって、変形例３の展開構成図である。
【図１０】本発明の実施形態の照光機能付き入力装置の変形例を説明する図であって、変形例４の展開構成図である。
【図１１】本発明の実施形態の照光機能付き入力装置の変形例を説明する図であって、変形例５の展開構成図である。
【図１２】従来例における静電容量センサシート９００を模式的に示す断面説明図である。
【発明を実施するための形態】
【００２０】
以下、本発明の実施の形態について図面を参照して詳細に説明する。
【００２１】
［第１実施形態］
図１は、本発明の第１実施形態の照光機能付き入力装置１０１の側面構成図である。図２は、本発明の第１実施形態の照光機能付き入力装置１０１の上面構成図である。図３は、本発明の第１実施形態の照光機能付き入力装置１０１を説明する図であって、ライトガイド１１を折り曲げる前の展開図を、図１に示すＺ２側から見た構成図である。なお、図１ないし図３は、本発明の第１実施形態を説明するための構成図なので、実際のサイズを表したものではない。
【００２２】
本発明の第１実施形態の照光機能付き入力装置１０１は、ユーザにより操作される操作パネルＰＮと、ユーザにより操作されて入力を検知する入力器７と、シート状のライトガイド１１と、ライトガイド１１に光を入光するための発光素子１３と、を備えて構成される。
【００２３】
入力器７は、図１及び図３に示すように、操作パネルＰＮにユーザの指等が触れられた際の静電容量を検出するための検出電極１５と、検出電極１５と電気的に接続された検出電極用配線部１６と、検出電極１５からの信号を処理する集積回路（ＩＣ、Integrated Circuit）１９と、を有して構成されている。そして、集積回路（ＩＣ）１９をライトガイド１１の一方面１１ｂに搭載し、発光素子用配線部１４と集積回路（ＩＣ）１９、及び検出電極用配線部１６と集積回路（ＩＣ）１９との接続を、低温はんだを用いて行っている。これにより、集積回路１９（ＩＣ）用の回路基板を用いることがなく、照光機能付き入力装置１０１を構成する部品をより少なくすることができる。なお、本発明の第１実施形態では、入力器７として、操作パネルＰＮにユーザの指等が触れられた際に、静電容量を検出する、所謂静電容量センサを用いたが、これに限るものではない。例えば、検出電極１５と対向する電極を設けて、座標入力装置でも良いし、検出電極１５と接離可能な接点ばねを設ける等して、スイッチ機能を有するスイッチ装置であっても良い。
【００２４】
ライトガイド１１は、シート状で透光性を有したポリエチレンテレフタレートの合成樹脂からなり、図１ないし図３に示すように、略長方形の形状をしている。そして、ライトガイド１１の端部には、貫通孔１１ｈが形成され、この貫通孔１１ｈには、発光素子１３の発光面１３ｒからの光を入光する入光部１１ｎを有している。そして、入光部１１ｎから入光した光は、図１に示すライトガイド１１の一方面１１ｂや他方面１１ａで反射を繰り返してライトガイド１１の内部を伝搬し、ユーザ側に出光する。なお、発光素子１３は、側面方向に発光面１３ｒを有した側面発光方式のＬＥＤ（Light Emitting Diode）を好適に用いている。
【００２５】
また、ライトガイド１１の一方面１１ｂには、図１及び図３に示すように、ライトガイド１１を伝搬してきた光を他方面１１ａ側に反射される散乱層１２と、発光素子１３と接続される発光素子用配線部１４と、入力器７の検出電極１５及び検出電極用配線部１６と、が形成されている。また、ライトガイド１１の一方面１１ｂには、上述した発光素子１３と、検出電極１５からの信号を処理する集積回路１９も搭載されている。
【００２６】
また、ライトガイド１１の他方面１１ａには、図１及び図２に示すように、ライトガイド１１からの出射光を遮蔽する機能を有する遮光層５２が形成されている。また、ライトガイド１１の他方面１１ａ側には、ユーザにより操作される操作パネルＰＮが配設されている。
【００２７】
また、図３に示すように、ライトガイド１１の長手方向の端部に設けられた発光素子用配線部１４に、発光素子１３を実装した後、ライトガイド１１は、図３に示すライトガイド１１の貫通孔１１ｈと発光素子１３が実装された部分との間の領域ＡＥを基点に、一方面１１ｂ側に折り曲げられている（図１を参照）。その際に、図１及び図２に示すように、発光素子１３は、ライトガイド１１の貫通孔１１ｈ内に挿入され、貫通孔１１ｈの内周面１１ｐに対向するように配設され、発光素子１３の発光面１３ｒは、ライトガイド１１の入光部１１ｎに対向するようになる。
【００２８】
また、ライトガイド１１が折り曲げられた際に、図１に示すように、貫通孔１１ｈの周囲の一方面１１ｂ側の貫通孔領域１１Ｅ（図３参照）と、発光素子１３の周囲の一方面１１ｂ側の発光素子領域１３Ｅ（図３参照）と、が対向し、その折り曲げられた部分の間に、所定の厚みを有した接着層１８が設けられるようになる。このため、折り曲げられた部分が容易に接着され、発光素子１３の位置決めを容易に行えるとともに、接着層１８の厚みを調整することで、発光素子１３が貫通孔１１ｈのユーザ側に突出しないようにできる。更に、発光素子１３が接着層１８によって固定されているので、発光の向きが時間経過とともに変化しないようにできる。
【００２９】
接着層１８は、遮光性を有した粉末が含有されたウレタン系の合成樹脂を主成分とした粘着剤からなり、図３に示す貫通孔１１ｈの周囲の貫通孔領域１１Ｅに塗布され、ライトガイド１１が折り曲げられた後に、加熱硬化することにより形成される。なお、ライトガイド１１が折り曲げられる前の図３の状態では、加熱硬化する前の接着層１８は、貫通孔１１ｈの周囲の貫通孔領域１１Ｅに予め設けられているが、発光素子１３の周囲の発光素子領域１３Ｅに設けられていても良く、或いは両方に設けられていても良い。
【００３０】
散乱層１２は、図１及び図３に示すように、ライトガイド１１の一方面１１ｂに密着して形成されており、ライトガイド１１を伝搬してきた光を他方面１１ａ側に反射散乱させている。そして、反射散乱された光の一部は、ライトガイド１１の他方面１１ａから操作パネルＰＮ側へ出光している。また、散乱層１２には、層内部で光を反射する粒界を持つ結晶性の材料を用いるか、或いは、所望の材料が混合されて内部で光の透過経路が変化する材料を用いている。例えば、所望の材料として、二酸化チタン、二酸化ジルコニウム（ジルコニア）、酸化マグネシウムや炭酸カルシウム等の粉末を用いる。また、散乱層１２の作製は、スクリーン印刷等の手法を用いて、例えば二酸化チタンの粉末が含有されたインクをライトガイド１１の一方面１１ｂに塗布し、このインクを硬化させることにより、容易に行うことができる。
【００３１】
発光素子用配線部１４、検出電極１５及び検出電極用配線部１６は、図１及び図３に示すように、ライトガイド１１の一方面１１ｂ側に形成されており、導電性を有している。図３では一部を省略しているが、発光素子用配線部１４は、発光素子１３と集積回路１９とを電気的に接続し、検出電極用配線部１６は、検出電極１５と集積回路１９とを電気的に接続している。また、発光素子１３と発光素子用配線部１４との接続は、低温はんだを用いている。
【００３２】
また、発光素子用配線部１４、検出電極１５及び検出電極用配線部１６の作製は、スクリーン印刷等の手法を用いて、散乱層１２が形成されたライトガイド１１の一方面１１ｂに、導電性インクを塗布し、このインクを硬化させることにより、容易に、しかも一括して行うことができる。この導電性インクとして、銀または銀を主成分とする銀合金の粉末とポリエステル系のバインダーとが混合されたものを用いるのが好適である。
【００３３】
以上のように、発光素子用配線部１４、入力を検知する検出電極１５及び検出電極用配線部１６をライトガイド１１の一方面１１ｂに設け、発光素子１３を実装した後、ライトガイド１１を折り曲げて、発光素子１３の発光面１３ｒが入光部１１ｎに対向するように配設したので、ユーザの操作による入力を検知する入力器７、発光素子１３及びライトガイド１１を一体として作製することができる。更に、発光素子１３を発光素子用配線部１４に実装した後、ライトガイド１１を折り曲げて、発光素子１３が入光部１１ｎに対向するように配設されているので、他の部品を用いることなく、発光素子１３とライトガイド１１とを容易に位置決めすることができる。
【００３４】
遮光層５２は、図１及び図２に示すように、ライトガイド１１の他方面１１ａに密着して形成されており、ライトガイド１１からの出射光を遮蔽する機能を有している。また、本発明の第１実施形態では、遮光層５２は、図２に示すように、所定の表示パターンの部分を光らせるために、光が通過する透過部５２ｔ（図２では楕円形状が４つ）を有している。これにより、遮光層５２を設けない場合と比較して、光らせたい表示パターンの輪郭を明確に出して、表示品位を高めることができる。また、遮光層５２の作製は、スクリーン印刷等の手法を用いて、ライトガイド１１の他方面１１ａに、遮光性のインクを塗布し、このインクを硬化させることにより、容易に行うことができる。この遮光性のインクとして、カーボンの粉末とポリエステル系のバインダーとが混合されたものを用いるのが好適である。
【００３５】
操作パネルＰＮは、図１に示すように、ライトガイド１１の他方面１１ａ側に備え、ユーザにより操作されるものである。そして、この操作パネルＰＮは、本発明の照光機能付き入力装置１０１が適用される製品によって、様々な形状、様態が考えられる。本発明の第１実施形態では、操作パネルＰＮには、遮光層５２の透過部５２ｔに対応した部分が光を透過するようになっており、ユーザにより、入力操作したい部分が容易に視認することができる。また、適用される製品に対応して、ライトガイド１１の形状や遮光層５２の透過部５２ｔの形状等も、同様にして、様々な形状、様態が考えられる。
【００３６】
以上により、本発明の照光機能付き入力装置１０１は、発光素子用配線部１４、入力を検知する検出電極１５及び検出電極用配線部１６をライトガイド１１の一方面１１ｂに設け、発光素子１３を実装した後、ライトガイド１１を折り曲げて、発光素子１３の発光面１３ｒが入光部１１ｎに対向するように配設したので、ユーザの操作による入力を検知する入力器７、発光素子１３及びライトガイド１１を一体として作製することができる。このことにより、照光機能付き入力装置１０１を構成する部品を少なくすることができる。更に、発光素子１３を発光素子用配線部１４に実装した後、ライトガイド１１を折り曲げて、発光素子１３が入光部１１ｎに対向するように配設されているので、他の部品を用いることなく、発光素子１３とライトガイド１１とを容易に位置決めすることができる。
【００３７】
また、ライトガイド１１を１回折り曲げるだけで、ライトガイド１１の貫通孔１１ｈ内に発光素子１３が挿入されて、貫通孔１１ｈの内周面１１ｐの入光部１１ｎに、発光素子１３の発光面１３ｒを対向するように配設することができる。例えば、貫通孔１１ｈがない場合、発光素子１３をライトガイド１１の端部の側方に配設しようとすると、数回の折り曲げが必要となる。したがって、照光機能付き入力装置１０１を作製することが容易にできる。
【００３８】
また、ライトガイド１１が他方面１１ａ側とは反対側の一方面１１ｂ側に折り曲げられているので、ユーザにより操作される操作パネルＰＮが備えられた他方面１１ａを平坦にできる。このことにより、照光機能付き入力装置１０１を製品に組み込んで使用する際に、ユーザの操作する側に段差部ができず、操作パネルＰＮの構成やデザイン等への影響を低減することができる。
【００３９】
また、貫通孔１１ｈの周囲の貫通孔領域１１Ｅと、発光素子１３の周囲の発光素子領域１３Ｅと、の間に、所定の厚みを有した接着層１８を設けたので、折り曲げられた部分が容易に接着され、発光素子１３の位置決めを容易に行えるとともに、接着層１８の厚みを調整することで、発光素子１３が貫通孔１１ｈのユーザ側に突出しないようにできる。このことにより、ユーザにより操作される操作パネルＰＮが備えられた他方面１１ａを確実に平坦にでき、製品のデザインを損ねることを確実に防止できる。
【００４０】
また、集積回路１９をライトガイド１１の一方面１１ｂに搭載したので、集積回路１９（ＩＣ）用の回路基板を用いることがなく、照光機能付き入力装置１０１を構成する部品をより少なくすることができる。
【００４１】
また、ライトガイド１１の材質がポリエチレンテレフタレートであるので、折り曲げに強く、曲げた際の曲率半径を小さくすることができる。このことにより、照光機能付き入力装置１０１の薄型化を図ることができる。
【００４２】
［第２実施形態］
図４は、本発明の第２実施形態の照光機能付き入力装置１０２の側面構成図である。図５は、本発明の第２実施形態の照光機能付き入力装置１０２の上面構成図である。図６は、本発明の第２実施形態の照光機能付き入力装置１０２を説明する図であって、ライトガイド２１を折り曲げる前の展開図を、図４に示すＺ２側から見た構成図である。なお、本発明の第１実施形態を説明するための構成図なので、実際のサイズを表したものではない。また、第２実施形態の照光機能付き入力装置１０２は、第１実施形態に対し、ライトガイド２１の折り曲げる方向が異なる。なお、第１実施形態と同一構成については、同一符号を付して詳細な説明は省略する。
【００４３】
本発明の第２実施形態の照光機能付き入力装置１０２は、シート状のライトガイド２１と、ライトガイド２１に光を入光するための発光素子１３と、ユーザにより操作される操作パネルＰＮと、ユーザにより操作されて入力を検知する入力器７と、を備えて構成される。
【００４４】
ライトガイド２１は、シート状で透光性を有したポリウレタンの合成樹脂からなり、図４ないし図６に示すように、略長方形の形状をしている。そして、ライトガイド２１の端部には、貫通孔２１ｈが形成され、この貫通孔２１ｈには、発光素子１３の発光面１３ｒからの光を入光する入光部２１ｎを有している。そして、入光部２１ｎから入光した光は、図４に示すライトガイド２１の一方面２１ｂや他方面２１ａで反射を繰り返してライトガイド２１の内部を伝搬し、ユーザ側に出光する。なお、発光素子１３は、本発明の第１実施形態と同様に、側面方向に発光面１３ｒを有した側面発光方式のＬＥＤ（Light Emitting Diode）を好適に用いている。
【００４５】
また、ライトガイド２１の一方面２１ｂには、図４及び図６に示すように、本発明の第１実施形態と同様に、ライトガイド２１を伝搬してきた光を他方面２１ａ側に反射される散乱層１２と、発光素子１３と接続される発光素子用配線部１４と、入力器７の検出電極１５及び検出電極用配線部１６と、が形成されている。また、ライトガイド２１の一方面２１ｂには、上述した発光素子１３と、検出電極１５からの信号を処理する集積回路１９も搭載されている。
【００４６】
また、ライトガイド１１の他方面１１ａには、図４及び図５に示すように、本発明の第１実施形態と同様に、ライトガイド２１からの出射光を遮蔽する機能を有する遮光層５２が形成されている。また、ライトガイド２１の他方面２１ａ側には、ユーザにより操作される操作パネルＰＮが配設されている。
【００４７】
また、図６に示すように、ライトガイド２１の短手方向に設けられた発光素子用配線部１４に、発光素子１３を実装した後、ライトガイド１１は、図６に示すライトガイド２１の貫通孔２１ｈと発光素子１３が実装された部分との間の領域ＢＥが、一方面２１ｂ側に折り曲げられている。その際に、図４及び図５に示すように、発光素子１３は、ライトガイド２１の貫通孔２１ｈ内に挿入され、貫通孔２１ｈの内周面２１ｐに対向するように配設され、発光素子１３の発光面１３ｒは、ライトガイド２１の入光部２１ｎに対向するようになる。
【００４８】
また、ライトガイド２１が折り曲げられた際に、図４に示すように、図６に示す貫通孔２１ｈの周囲の一方面２１ｂ側の貫通孔領域２１Ｅと、図６に示す発光素子１３の周囲の一方面２１ｂ側の発光素子領域１３Ｅと、が対向し、その折り曲げられた部分の間に、所定の厚みを有した接着層１８が設けられるようになる。このため、折り曲げられた部分が容易に接着され、発光素子１３の位置決めを容易に行えるとともに、接着層１８の厚みを調整することで、発光素子１３が貫通孔２１ｈのユーザ側に突出しないようにできる。
【００４９】
以上により、本発明の照光機能付き入力装置１０２は、発光素子用配線部１４、入力を検知する検出電極１５及び検出電極用配線部１６をライトガイド２１の一方面２１ｂに設け、発光素子１３を実装した後、ライトガイド２１を折り曲げて、発光素子１３の発光面１３ｒが入光部２１ｎに対向するように配設したので、ユーザの操作による入力を検知する入力器７、発光素子１３及びライトガイド１１を一体として作製することができる。このことにより、照光機能付き入力装置１０２を構成する部品を少なくすることができる。更に、発光素子１３を発光素子用配線部１４に実装した後、ライトガイド２１を折り曲げて、発光素子１３が入光部２１ｎに対向するように配設されているので、他の部品を用いることなく、発光素子１３とライトガイド２１とを容易に位置決めすることができる。
【００５０】
また、ライトガイド２１が他方面２１ａ側とは反対側の一方面２１ｂ側に折り曲げられているので、ユーザにより操作される操作パネルＰＮが備えられた他方面２１ａを平坦にできる。このことにより、照光機能付き入力装置１０２を製品に組み込んで使用する際に、ユーザの操作する側に段差部ができず、操作パネルＰＮの構成やデザイン等への影響を低減することができる。
【００５１】
また、貫通孔２１ｈの周囲の貫通孔領域２１Ｅと、発光素子１３の周囲の発光素子領域１３Ｅと、の間に、所定の厚みを有した接着層１８を設けたので、折り曲げられた部分が容易に接着され、発光素子１３の位置決めを容易に行えるとともに、接着層１８の厚みを調整することで、発光素子１３が貫通孔２１ｈのユーザ側に突出しないようにできる。このことにより、ユーザにより操作される操作パネルＰＮが備えられた他方面２１ａを確実に平坦にでき、製品のデザインを損ねることを確実に防止できる。
【００５２】
なお、本発明は上記実施形態に限定されるものではなく、例えば次のように変形して実施することができ、これらの実施形態も本発明の技術的範囲に属する。
【００５３】
図７は、本発明の第１実施形態の照光機能付き入力装置１０１の変形例を説明する図であって、変形例１の照光機能付き入力装置Ｃ１０１の側面構成図である。図８は、本発明の第２実施形態の照光機能付き入力装置１０２の変形例を説明する図であって、変形例２の照光機能付き入力装置Ｃ１０２の側面構成図である。図９は、本発明の第２実施形態の照光機能付き入力装置１０２の変形例を説明する図であって、変形例３の照光機能付き入力装置Ｃ１０３の展開構成図である。図１０は。本発明の実施形態の照光機能付き入力装置（１０１、１０２）の変形例を説明する図であって、変形例４の照光機能付き入力装置Ｃ１０４の展開構成図である。図１１は、本発明の実施形態の照光機能付き入力装置（１０１、１０２）の変形例を説明する図であって、変形例５の照光機能付き入力装置Ｃ１０５の展開構成図である。
【００５４】
＜変形例１＞
上記第１実施形態では、ライトガイド１１が他方面１１ａ側とは反対側の一方面１１ｂ側に折り曲げられた構成であったが、図７に示すように、ライトガイド１１が他方面１１ａ側に折り曲げられた構成であっても良い。その際には、操作パネルＣＰＮのユーザ側がフラットになるように、操作パネルＣＰＮに段差部ＤＮを設けるのが好ましい。
【００５５】
＜変形例２＞
上記第２実施形態では、ライトガイド１１が他方面１１ａ側とは反対側の一方面１１ｂ側に折り曲げられた構成であったが、図８に示すように、ライトガイド１１が他方面１１ａ側に折り曲げられた構成であっても良い。その際には、操作パネルＤＰＮのユーザ側がフラットになるように、操作パネルＤＰＮに段差部ＤＳを設けるのが好ましい。
【００５６】
＜変形例３＞
上記第２実施形態では、１つの発光素子１３が搭載された折り曲げる部分と貫通孔２１ｈを、ライトガイド２１の端部に設けた構成にしたが、図９に示すように、２つの発光素子Ｃ１３を搭載し、折り曲げる部分と貫通孔Ｃ２１ｈをライトガイドＣ２１の中央部に設ける構成であっても良い。このように、発光素子及び貫通孔の数や位置は、任意に変えることができる。
【００５７】
＜変形例４＞
上記実施形態では、ライトガイド（１１、２１）に貫通孔（１１ｈ、２１ｈ）を設けて、発光素子１３をライトガイド（１１、２１）の貫通孔（１１ｈ、２１ｈ）内に挿入する構成としたが、図１０に示すように、ライトガイドＣ４１の端部に切欠け部Ｃ４１ｋを設けて、切欠け部Ｃ４１ｋ内に発光素子１３を挿入し、発光素子１３の発光面１３ｒと切欠け部Ｃ４１ｋ内の入光部Ｃ４１ｎと対向させるようにしても良い。
【００５８】
＜変形例５＞
上記実施形態及び変形例４では、ライトガイドＣ４１の端部に貫通孔（１１ｈ、２１ｈ）或いは切欠け部Ｃ４１ｋを設けた構成としたが、図１１に示すように、貫通孔（１１ｈ、２１ｈ）及び切欠け部Ｃ４１ｋを設けない構成とし、発光素子１３の発光面１３ｒとライトガイドＣ５１の端部に設けられた入光部Ｃ５１ｎと対向させるようにしても良い。
【００５９】
＜変形例６＞
上記実施形態では、ライトガイド１１の材質にポリエチレンテレフタレートを用い、ライトガイド２１の材質にポリウレタンを用いたが、これに限らず、アクリル系の合成樹脂であっても良いし、ポリエステル系エラストマーやウレタン系エラストマーであっても良い。
【００６０】
本発明は上記実施の形態に限定されず、本発明の目的の範囲を逸脱しない限りにおいて適宜変更することが可能である。
【符号の説明】
【００６１】
１１、２１、Ｃ２１、Ｃ４１、Ｃ５１  ライトガイド
１１ａ、２１ａ  他方面
１１ｂ、２１ｂ  一方面
１１ｈ、２１ｈ、Ｃ２１ｈ  貫通孔
１１Ｅ、２１Ｅ  貫通孔領域
１１ｎ、２１ｎ、Ｃ４１ｎ、Ｃ５１ｎ  入光部
１１ｐ、２１ｐ  内周面
１３、Ｃ１３  発光素子
１３ｒ  発光面
１３Ｅ  発光素子領域
１４  発光素子用配線部
１５  検出電極
１６  検出電極用配線部
７  入力器
１８  接着層
１９  集積回路
ＡＥ、ＢＥ  領域
ＰＮ、ＣＰＮ、ＤＰＮ  操作パネル
１０１、１０２  照光機能付き入力装置
Ｃ１０１、Ｃ１０２、Ｃ１０３、Ｃ１０４、Ｃ１０５  照光機能付き入力装置
【図１】
2014107254.tif 000003
【図２】
2014107254.tif 000004
【図３】
2014107254.tif 000005
【図４】
2014107254.tif 000006
【図５】
2014107254.tif 000007
【図６】
2014107254.tif 000008
【図７】
2014107254.tif 000009
【図８】
2014107254.tif 000010
【図９】
2014107254.tif 000011
【図１０】
2014107254.tif 000012
【図１１】
2014107254.tif 000013
【図１２】
2014107254.tif 000014